(57)【特許請求の範囲】
【請求項１】
矩形枠状のフランジを有した複数のパックを収納する包装箱であって、
箱本体と、仕切部材とを備え、
前記箱本体は、長さ面を構成する相対する一対の第１壁と、幅面を構成する相対する一対の第２壁とから構成される周壁と、前記一対の第１壁および前記一対の第２壁に連設された底面フラップとを備え、
前記パックを収納するための収納部が前記一対の第１壁に沿って２つ並んで構成可能であるとともに、前記一対の第２壁に沿って２つ並んで構成可能である前記包装箱であって、
前記周壁は、周回方向に延びるシートから構成されその両端が接合され、
前記仕切部材は、前記一対の第１壁に沿って前記収納部が並ぶ方向の中間位置において、前記一対の第１壁の間に架け渡され、前記パックを収納するための前記第１壁に沿った２つの空間部を前記箱本体と共に構成し、前記２つの空間部の各々は、前記一対の第２壁に沿って並ぶ仕切りのない２つの前記収納部を構成し、
前記周壁は、前記収納部における角部において、前記収納部の内側に向けて切り起こされた部分で構成され、前記パックの角部を支持する第１角支持部および第２角支持部を備え、
前記第１角支持部は、前記箱本体の各角部に設けられ、
前記第２角支持部は、前記第２壁における前記収納部が並ぶ方向の中間位置に設けられ、
前記第１および第２角支持部の頂辺である支持端が、前記フランジの角部に当接して前記フランジを支持するように構成され、
前記仕切部材の頂辺である支持端は、前記収納部の開口を構成する辺のなかで少なくとも前記第１および第２角支持部の頂辺を含まない辺を構成する辺支持部を備え、前記辺支持部が、前記フランジの辺に当接して前記フランジを支持するように構成され、
前記第１および第２角支持部ならびに前記辺支持部の各支持端における前記底面フラップからの高さ寸法は、前記パックの底面からの前記フランジの高さ寸法より大きく、
前記周壁は、内壁と外壁で構成され、
前記第２壁における前記収納部が並ぶ方向の中間位置であって前記内壁に、同方向に並んで両開きとされる第１切起片および第２切起片を備え、前記第１切起片および前記第２
切起片の各々が前記第２角支持部を構成し、
前記第２壁に沿って並ぶ収納部が第１収納部と第２収納部であり、
前記第２収納部に対して前記第１収納部に近い第１切起片は、前記第１収納部に収納された前記パックの前記フランジを支持し、
前記第１収納部に対して前記第２収納部に近い第２切起片は、前記第２収納部に収納された前記パックの前記フランジを支持し、
前記外壁は、前記第２壁における前記収納部が並ぶ方向の中間位置に、前記第１切起片および前記第２切起片を両開きの状態に維持する押込片を備え、
前記押込片は、前記第１切起片および前記第２切起片が両開きとされた状態からの開閉を規制するように、前記第１切起片の側縁および前記第２切起片の側縁が係合される係合溝を備え、
前記仕切部材は、前記第２壁の延在方向における両端に取付片を備え、
前記内壁は、前記内壁と前記外壁との間に前記取付片が差し込まれることによって前記周壁に前記仕切部材を取り付ける取付孔を備える
包装箱。
【請求項２】
前記箱本体の底面において、相対する前記底面フラップの先端部は離間している
請求項１に記載の包装箱。
【請求項３】
前記第１角支持部および前記第２角支持部ならびに前記辺支持部の各支持端は、前記底面フラップからの高さ寸法が同じである
請求項１または２に記載の包装箱。
【発明の詳細な説明】
【技術分野】
【０００１】
本発明は、青果などを収納した複数のパックを収納する包装箱に関する。
【背景技術】
【０００２】
例えばイチゴやサクランボのような青果を収納したパックを市場や販売店に出荷する際には、上面が開口したトレイ型のダンボール製包装箱に、当該パックを複数個、例えば縦横２個ずつ並べて収納して運搬する。このような用途に用いられる包装箱は、内部に仕切部材を設置することで、箱本体の内部を複数の収納部に区画し、各収納部に、パックを収納する（特許文献１参照）。
【０００３】
特許文献１に示す包装箱は、矩形状の底面の各辺に前後左右の側壁を連設しての箱本体を構成している（ＪＩＳ-Ｚ１５０７、０４形（組立形））。そして、箱本体の底面に設けられた支持フラップを立ち上げるとともに、支持フラップと直交するように仕切部材を配置することによって、４つの収納部を構成し、各収納部にパックを収納するようにしている。支持フラップおよび仕切部材は、各収納部に収納されるパックの周囲に設けられるフランジを支持し、パックの底面を箱本体の底面から離間させ宙吊りとすることで、箱本体に加わる衝撃等によって、パックに収納されている青果が傷まないようにしている。
【０００４】
また、特許文献２に示すように、包装箱には、相対する一対の長さ面と、相対する一対の幅面と、一対の長さ面および前記一対の幅面に連設されたフラップと、長さ面に設けられる継ぎ代とを備え、これらがワンピースで構成されたものがある（ＪＩＳ-Ｚ１５０７、０２形（溝切り形））。この包装箱は、展開された状態のシートがほぼ細長の矩形形状を有しており、段ボール原反を無駄なく裁断して製造することができる。
【先行技術文献】
【特許文献】
【０００５】
【特許文献１】特開２０１４−２３７４５０号公報
【特許文献２】実用新案登録第３１５０１８４号公報
【発明の概要】
【発明が解決しようとする課題】
【０００６】
特許文献２の包装箱は、青果などを収納したパックを収納するものではあるが、パックが包装箱の底面に直置きされるものであり、特許文献１のように、パックを宙吊りで収納するものではない。したがって、特許文献２の包装箱では、包装箱の底面に加わる衝撃等によって、パックに収納されている青果が傷んでしまうことがある。
【０００７】
この点、特許文献１の包装箱は、パックの底面を包装箱の底面から宙吊りにするものであるが、特許文献２の包装箱のように、展開された状態のシートがほぼ細長の矩形形状を有するものではない。したがって、特許文献１の包装箱は、特許文献２の包装箱ほどに、段ボール原反を有効に利用することが困難である。
【０００８】
本発明は、以上のような課題に鑑みてなされたものであり、パックの収容物を保護することに優れるとともに、段ボール原反を有効に利用し生産性の向上を可能とした包装箱を提供することを目的とする。
【課題を解決するための手段】
【０００９】
上記課題を解決するための包装箱は、矩形枠状のフランジを有した複数のパックを収納する包装箱であって、箱本体と、仕切部材とを備える。前記箱本体は、相対する一対の第１壁と、相対する一対の第２壁とから構成される周壁と、前記一対の第１壁および前記一対の第２壁に連設された底面フラップとを備える。前記周壁は、周回方向に延びるシートから構成されその両端を接合される。前記仕切部材は、前記一対の第１壁の間、または、前記一対の第２壁の間の何れか一方に架け渡され、前記パックを収納するための複数の収納部を前記箱本体と共に構成し、前記周壁は、前記収納部における角部であって、前記収納部の内側に向けて切り起こされた部分として角支持部を備え、前記角支持部の頂辺である支持端が、前記フランジの角部に当接して前記フランジを支持するように構成される。前記仕切部材の頂辺である支持端は、前記収納部の開口を構成する辺のなかで少なくとも前記角支持部を含まない辺を構成する辺支持部を備え、前記辺支持部が、前記フランジの辺に当接して前記フランジを支持するように構成される。前記角支持部および前記辺支持部の各支持端における前記底面フラップからの高さ寸法は、前記パックの底面からの前記フランジの高さ寸法より大きい。
【００１０】
上記構成によれば、箱本体は、展開された状態のシートの状態において、ほぼ細長の矩形形状を有することになるので、原反を無駄なく裁断して生産性の向上を実現することができる。また、角支持部の支持端および辺支持部の支持端の高さ寸法は、フランジの高さ寸法より大きく設定する。これにより、各収納部において、パックは宙吊りとなり、底面に加わる衝撃等によっても、パックに収納されている青果が傷まないようにすることができる。
【００１１】
上記包装箱において、前記箱本体の底面において、相対する前記底面フラップの先端部は離間している構成としてもよい。
上記構成によれば、底面フラップを、先端部が突き合わせて底面を構成する突き合わせフラップを採用したときよりも、ワンピースの面積を一層小さくすることができる。
【００１２】
上記包装箱において、前記角支持部および前記辺支持部の各支持端は、前記底面フラップからの高さ寸法が同じである構成としてもよい。
上記構成によれば、箱本体の底面と平行に、パックを安定して支持することができる。
【００１３】
上記包装箱において、前記箱本体には、前記収納部が前記一対の第１壁に沿って２つ並んで構成されるとともに、前記一対の第２壁に沿って２つ並んで構成され、前記一対の第１壁、および、前記一対の第２壁のうちの何れか一方が第１対向壁であり、他方が第２対向壁であり、前記仕切部材は、前記第１対向壁に沿って前記収納部が並ぶ方向の中間位置において、前記第１対向壁の間に架け渡され、前記角支持部は、前記箱本体の各角部に備えられた第１角支持部と、前記第２対向壁における前記収納部が並ぶ方向の中間位置に備えられた第２角支持部とを備えている構成としてもよい。
【００１４】
上記構成によれば、一対の第１壁に沿った２つの収納部と一対の第２壁に沿った２つの収納部の合計で４つの収納部を構成することができる。第２角支持部は、第１対向壁の間に架け渡された仕切部材と平行な第２対向壁に構成される。そして、各収納部に収納されるパックの互いに隣り合う角部は第１角支持部と第２角支持部とに支持される。また、パックにおける第１角支持部と第２角支持部に支持される角部の間に構成される辺と対向する辺は、辺支持部に支持される。
【００１５】
上記包装箱において、前記第２対向壁における前記収納部が並ぶ方向の中間位置に、同方向に並んで両開きとされる第１切起片および第２切起片を備え、前記第１切起片および前記第２切起片の各々が前記第２角支持部を構成し、前記第２対向壁に沿って並ぶ収納部が第１収納部と第２収納部であり、前記第２収納部に対して前記第１収納部に近い第１切起片は、前記第１収納部に収納された前記パックの前記フランジを支持し、前記第１収納部に対して前記第２収納部に近い第２切起片は、前記第２収納部に収納された前記パックの前記フランジを支持する構成としてもよい。
【００１６】
上記構成によれば、第２対向壁に、第２対向壁に沿って並ぶ第１収納部と第２収納部の第２角支持部を切起片によって構成することができる。
【発明の効果】
【００１７】
本発明によれば、パックの収容物を保護することに優れるとともに、段ボール原反を有効に利用し生産性の向上を可能とした包装箱を提供することができる。
【図面の簡単な説明】
【００１８】
【図１】包装箱の斜視図。
【図２】包装箱を構成する箱本体と仕切部材の展開図。
【図３】（ａ）は、箱本体の角部に備えられる第１角支持部の要部展開図、（ｂ）は、要部斜視図。
【図４】（ａ）は、一対の第２壁に備えられる第２角支持部の要部展開図、（ｂ）は、要部斜視図。
【図５】包装箱の平面図。
【図６】一方の第２フラップが開いた状態を箱本体の底面側から見た斜視図。
【図７】箱本体に対して仕切部材を取り付ける状態を示す包装箱の分解斜視図。
【図８】（ａ）は、各収納部にパックが第1角支持部に支持され収納された状態を示す図５におけるＩ−Ｉ断面図、（ｂ）は、各収納部にパックが第２角支持部に支持され収納された状態を示す図５におけるＩＩ−ＩＩ断面図。
【発明を実施するための形態】
【００１９】
図面を参照して本発明を具体化した一実施形態における包装箱について説明する。
図１に示すように、包装箱１０は、イチゴ、サクランボなどの青果を収納するパック１を複数収納する段ボール箱であって、ここでは、合計で４個のパック１を収納する。
【００２０】
パック１は、例えば光透過性を有する樹脂パックであって、ポリエチレン（ＰＥ），ポリプロピレン（ＰＰ），ポリ塩化ビニル（ＰＶＣ），ポリスチレン（ＰＳ），ポリ酢酸ビニル（ＰＶＡｃ），ポリテトラフルオロエチレン（ＰＴＦＥ），又はＡＢＳ樹脂などから選ばれる一つまたは複数の樹脂材料によって成形されている。パック１は、上面の全体が矩形形状を有する上面開口部２であり、上面開口部２は、その周囲に矩形枠状のフランジ３を備えている。フランジ３は、先端部３ａが下側を向くように湾曲しており、下側を開口端とした凹部３ｂ（図８参照）を備えている。
【００２１】
このようなパック１を収納する包装箱１０は、全体形状が矩形のトレイ形状を有する箱本体１１と、箱本体１１の内部に、パック１を収納する収納部２１を区画する仕切部材５１とを備えている。
【００２２】
箱本体１１は、相対する一対の長さ面を構成する第１壁１２，１３と、相対する一対の幅面を構成する第２壁１４，１５と、第１壁１２，１３の下端部に連設される第１底面フラップ１６，１７と、第２壁１４，１５の下端部に連設される第２底面フラップ１８，１９とを備えている。第１壁１２，１３と第２壁１４，１５は、共に、横長の矩形形状を有しており、また、第１壁１２，１３の長手方向の寸法は、第２壁１４，１５の長手方向の寸法より長くなっている。第１壁１２，１３および第２壁１４，１５は、箱本体１１の周壁を構成し、周壁で囲まれた上面は、矩形形状の開口部２０を構成する。このような箱本体１１は、基本構造に、ＪＩＳ-Ｚ１５０７、０２形（溝切り形）を採用している。
【００２３】
第１壁１２，１３の長手方向における中間位置には、仕切部材５１が配置され、仕切部材５１は、箱本体１１の内部に、一対の第１壁１２，１３に沿って並ぶ２つの空間部を構成する。各空間部には、１個のパック１を収納する大きさを有する収納部２１が第２壁１４，１５に沿って２つ構成される。これにより、箱本体１１には、長さ方向および幅方向に２個ずつ収納部２１が並び、全部で４個の収納部２１が構成される。
【００２４】
図２は、箱本体１１と仕切部材５１の展開図である。箱本体１１は、ワンピースで構成されており、展開した状態のシートにおいて、周回方向に横長の矩形形状を有している。そして、左から順に、折線となる罫線２２を介して、第１壁１２の外面を構成する第１外壁１２ａ、第２壁１４の外面を構成する第２外壁１４ａ、第１壁１３の外面を構成する第１外壁１３ａ，第２壁１５の外面を構成する第２外壁１５ａが連設されている。
【００２５】
第１外壁１２ａの一端には、横方向に延びる二重罫線２３を介して、第１壁１２の内面を構成する第１内壁１２ｂが連設され、第２外壁１４ａの一端には、二重罫線２３を介して、第２壁１４の内面を構成する第２内壁１４ｂが連設され、第１外壁１３ａの一端には、二重罫線２３を介して、第１壁１３の内面を構成する第１内壁１３ｂが連設され、第２外壁１５ａの一端には、二重罫線２３を介して、第２壁１５の内面を構成する第２内壁１５ｂが連設されている。
二重罫線２３を介して、第１内壁１２ｂ，１３ｂおよび第２内壁１４ｂ，１５ｂが第１外壁１２ａ,１３ａおよび第２外壁１４ａ，１５ａに対して内側に折り畳まれたとき、二重罫線２３の部分は、開口部２０の開口端を構成する。
【００２６】
さらに、第１外壁１２ａの他端には、横方向に延びる罫線２４を介して、第１底面フラップ１６が連接され、第２外壁１４ａの他端には、罫線２４を介して、第２底面フラップ１８が連接され、第１外壁１３ａの他端には、罫線２４を介して、第１底面フラップ１７が連設され、第２外壁１５ａの他端には、罫線２４を介して、第２底面フラップ１９が連設されている。
【００２７】
さらに、第１外壁１２ａの横方向の端部には、接合部としての継ぎ代２９が形成されており、継ぎ代２９は、第２内壁１５ｂに接着剤、粘着テープ、ステープルなどによって接合される。なお、継ぎ代２９は、第２外壁１５ａの端部に設けることもできる。
【００２８】
二重罫線２３から第１内壁１２ｂ，１３ｂにかけては、Ｕ字形状の切り込みが形成されている。第１内壁１２ｂ，１３ｂが第１外壁１２ａ，１３ａに対して内側に折り畳まれたとき、開口部２０の開口端から上方には、係合片２５が突出される。また、第１内壁１２ｂ，１３ｂおよび第２内壁１４ｂ，１５ｂの各先端部には、差込片２６が２つずつ突出している。
【００２９】
第１外壁１２ａ，１３ａおよび第１底面フラップ１６，１７の境界に位置する罫線２４を跨ぐ位置には、第１外壁１２ａ，１３ａの係合片２５および第１内壁１２ｂ，１３ｂの差込片２６の数に対応して係合孔２７を備えている。図２中縦方向において、係合孔２７は、係合片２５および差込片２６と同位置に形成されている。また、第２外壁１４ａ，１５ａおよび第２底面フラップ１８，１９の境界に位置する罫線２４を跨ぐ位置には、第２内壁１４ｂ，１５ｂの差込片２６の数に対応して差込孔２８を備えている。図２中縦方向において、差込孔２８は、差込片２６と同位置に形成されている。第１内壁１２ｂ，１３ｂおよび第２内壁１４ｂ，１５ｂが第１外壁１２ａ，１３ａおよび第２外壁１４ａ，１５ａに対して内側に折り畳まれたとき、係合孔２７および差込孔２８に差し込まれる。また、包装箱１０が積み重ねられたとき、係合片２５は、上側に位置する包装箱１０の係合孔２７に係合する。
【００３０】
図３（ａ）および（ｂ）に示すように、各第１内壁１２ｂ、１３ｂの両端部には、各収納部２１に収納されたパック１の角部に位置するフランジ３を支持する第１角支持部３１を備えている。第１角支持部３１は、箱本体１１の４つの角部の各々に備えられる。なお、図３（ａ）および（ｂ）では、第１内壁１２ｂと第２内壁１４ｂとによって構成される角部に備える第１角支持部３１を示しており、以下、これを例に、第１角支持部３１の構成を説明する。
【００３１】
第１角支持部３１は、第１内壁１２ｂの端部における切起片３３によって構成されている。切起片３３は、第１内壁１２ｂの縦方向の側縁と平行な縦方向の罫線３２に沿って収納部２１側に切り起こされる。罫線３２と平行な切起片３３の先端部３３ａは、第２内壁１４ｂに食い込んで位置している。第１内壁１２ｂおよび第２内壁１４ｂが第１外壁１２ａおよび第２外壁１４ａに対して内側に折り畳まれた場合において、切起片３３は、罫線３２に沿って切り起こされ、先端部３３ａは、第２内壁１４ｂに突き当てられる。すなわち、切起片３３は、互いに隣接する第１内壁１２ｂおよび第２内壁１４ｂを跨るように斜めに位置する。切起片３３の先端部３３ａと直交する頂辺は、パック１の互いに隣り合う角部に位置するフランジ３と当接して支持する支持端３３ｂとなる。支持端３３ｂは、両側に面取り部３３ｃを備える。支持端３３ｂは、フランジ３の凹部３ｂに対して下側から進入してフランジ３を支持し、面取り部３３ｃは、フランジ３の先端部３ａの逃げとなる。
【００３２】
なお、罫線３２の延長線上であって支持端３３ｂと隣接する位置には、第１内壁１２ｂの側縁と第２内壁１４ｂの側縁の各々を切り欠いた切欠部３４ａ，３４ｂを備えている。第１内壁１２ｂに位置する切欠部３４ａは、第２内壁１４ｂの厚みを逃げる部分となり、第２内壁１４ｂに位置する切欠部３４ｂは、第１内壁１２ｂの厚みを逃げる部分となる。
【００３３】
図４（ａ）および（ｂ）に示すように、各第２内壁１４ｂ、１５ｂの幅方向の中間位置には、各収納部２１に収納されたパック１の角部に位置するフランジ３を支持する第２角支持部３６を備えている。なお、図４（ａ）および（ｂ）では、第２内壁１４ｂに備える第２角支持部３６を示しており、以下、これを例に、第２角支持部３６の構成を説明する。
【００３４】
第２角支持部３６は、幅方向に並び両開きとされた第１切起片３７と第２切起片３８の各々が構成する。第１切起片３７は、縦方向の第１罫線３７ａに沿って、収納部２１の方向に切り起こされる。第２切起片３８は、縦方向の第２罫線３８ａに沿って、収納部２１の方向に切り起こされる。第１切起片３７の頂辺は、パック１の角部に位置するフランジ３と当接して支持する第１支持端３７ｂとなる。また、第２切起片３８の頂辺は、パック１の角部に位置するフランジ３と当接して支持する第２支持端３８ｂとなる。
【００３５】
また、第１支持端３７ｂの両側は、第１面取り部３７ｃを備える。第１支持端３７ｂは、フランジ３の凹部３ｂに対して下側から進入してフランジ３を支持し、第１面取り部３７ｃは、フランジ３の先端部３ａの逃げとなる。また、第２支持端３８ｂの両側は、第２面取り部３８ｃを備える。第２支持端３８ｂは、フランジ３の凹部３ｂに対して下側から進入してフランジ３を支持し、第２面取り部３８ｃは、フランジ３の先端部３ａの逃げとなる。
【００３６】
各第２外壁１４ａの幅方向の中間位置には、両開きの第１切起片３７と第２切起片３８とを外側から収納部２１の方向に押し込む押込片３９を備えている。押込片３９は、罫線２４と平行な罫線３９ａに沿って第１切起片３７と第２切起片３８の方向に切り起こされる。押込片３９は、先端部が罫線３９ａに沿う基端部より幅狭に形成され、全体が台形形状を有している。そして、押込片３９は、先端部に第１切起片３７と第２切起片３８を押圧する押圧部３９ｂを備えている。また、押圧部３９ｂの基端部の両側には、第１切起片３７と第２切起片３８とが係合される係合溝３９ｃが形成されている。
【００３７】
押込片３９が罫線３９ａに沿って第１切起片３７と第２切起片３８の方向に切り起こされることで、第１切起片３７と第２切起片３８は、押圧部３９ｂによって押圧され、第１及び第２罫線３７ａ，３８ａに沿って収納部２１の方向に曲げられる。この後、係合溝３９ｃには、第１切起片３７と第２切起片３８の側縁が係合される。これにより、第１切起片３７と第２切起片３８が収納部２１の方向に切り起こされた状態が押込片３９によって維持される。
【００３８】
第１切起片３７と第２切起片３８は、第２壁１４，１５に沿って並ぶ２つの収納部２１の第２角支持部３６となる。すなわち、第１切起片３７は、第２切起片３８に対して近い側の収納部２１の第２角支持部３６となり、第２切起片３８は、第１切起片３７に対して近い側の収納部２１の第２角支持部３６となる。
【００３９】
図５に示すように、第１外壁１２ａに連設された第１底面フラップ１６が罫線２４に沿って折り畳まれ、第１外壁１３ａに連設された第１底面フラップ１７が罫線２４に沿って折り畳まれると、第１底面フラップ１６の先端部と第１底面フラップ１７の先端部とは、互いに離間し、間に間隙を構成する。すなわち、第１底面フラップ１６，１７の罫線２４から先端までの寸法Ｗ１，Ｗ２の合計寸法は、箱本体１１の幅寸法Ｗより小さく設定されている（Ｗ＞Ｗ１＋Ｗ２）。
【００４０】
また、第２外壁１４ａに連設された第２底面フラップ１８が罫線２４に沿って折り畳まれ、第２外壁１５ａに連設された第２底面フラップ１９が罫線２４に沿って折り畳まれると、第２底面フラップ１８の先端部と第２底面フラップ１９の先端部とは、互いに離間し、間に間隙を構成する。すなわち、第２底面フラップ１８，１９の罫線２４から先端までの寸法Ｌ１，Ｌ２の合計寸法は、箱本体１１の長さ寸法Ｌより小さく設定されている（Ｌ＞Ｌ１＋Ｌ２）。
【００４１】
さらに、第１底面フラップ１６，１７の罫線２４から先端までの寸法Ｌ１，Ｌ２と第２底面フラップ１８，１９の罫線２４から先端までの寸法Ｌ１，Ｌ２とは、同じ寸法とされる（Ｗ１＝Ｗ２＝Ｌ１＝Ｌ２）。これにより、箱本体１１が展開されたシートは、横長の矩形形状を有する（図２の箱本体の展開図参照）。
【００４２】
図６に示すように、第１底面フラップ１６，１７は、矩形形状を有するフラップであり、先端部における長手方向の中央より両側に偏った位置に切り込み４１を備えている。また、第１底面フラップ１６，１７において、切り込み４１の開口端と隣接する側縁には、差込孔２８を逃げる切欠凹部４３を備えている。第２底面フラップ１８，１９は、全体が台形形状を有しており、幅狭の先端部に係合片４２を備えている。最初に、第１底面フラップ１６，１７が罫線２４に沿って折り畳まれ、次いで、第２底面フラップ１８，１９が罫線２４に沿って折り畳まれると、係合片４２は、外側から内側に向かって切り込み４１に差し込まれる。これにより、箱本体１１の底面が構成される。箱本体１１の底面は、第１底面フラップ１６，１７の先端部の間に間隙が設けられ、第２底面フラップ１８，１９の先端部の間に間隙が設けられることで、中央部分に矩形の開口部が形成されることになる。第１底面フラップ１６，１７と第２底面フラップ１８，１９の大きさは、小さいほど、箱本体１１を展開したシート面積を小さくすることができるが、その一方で箱本体１１の物理的強度が低下することになるので、箱本体１１の物理的強度との兼ね合いで適宜決められる。
【００４３】
図７に示すように、仕切部材５１は、一対の第１壁１２，１３の長手方向における中間位置に配置される。仕切部材５１は、一対の仕切板５２，５３と、一対の仕切板５２，５３を連結する連結部５４とを備えている。図２に示すように、仕切部材５１は、展開された状態において、矩形形状を有するシートであり、仕切板５２，５３は、縦方向中央を横方向に延びる中心線の両側に配置される。仕切板５２，５３の境界を跨ぐ位置には、横方向において、中央部と両端部に連結部５４を備えている。横方向において、連結部５４の間には、前記中心線に重なるように、第１切込み溝５５を備えている。連結部５４は、第１切込み溝５５を挟んだ両側に、第１切込み溝５５と平行な罫線５６を備えている。罫線５６の端部と第１切込み溝５５の端部の間にも、第１切込み溝５５と交差する方向に第２切込み溝５７を備えている。
【００４４】
図７に示すように、一対の仕切板５２，５３の各々は、縦方向の両側縁部に、第１内壁１２ｂ、１３ｂに取り付けるための取付片５８を備えている。第１内壁１２ｂ、１３ｂには、長さ方向の中間位置に、取付片５８が差し込まれる取付孔５９を備えている。
【００４５】
一対の仕切板５２，５３は、各収納部２１に収納されたパック１の短辺に位置するフランジ３を支持する辺支持部６１を備えている。仕切部材５１は、一対の罫線５６に沿って連結部５４を内側に折り込むことによって、一対の仕切板５２，５３を離間させることができる。この際、一対の罫線５６の第１切込み溝５５に沿う位置には、連結部５４が一対の仕切板５２，５３の間に押し込まれる分、第２切込み溝５７の長さに相当する高さの突出片６２が構成される。突出片６２の頂辺は、パック１の互いに隣り合う角部の間に位置する短辺と当接して支持する支持端６２ａとなる。支持端６２ａは、フランジ３の凹部３ｂに対して下側から進入してフランジ３を支持する。
【００４６】
図８（ａ）および（ｂ）に示すように、ここで、第１角支持部３１を構成する切起片３３の第１底面フラップ１６，１７および第２底面フラップ１８，１９から支持端３３ｂまでの高さ寸法をＨ１と定義する。また、第２角支持部３６を構成する第１および第２切起片３７，３８の第１底面フラップ１６，１７および第２底面フラップ１８，１９から第１および第２支持端３７ｂ，３８ｂまでの高さ寸法をＨ２と定義する。さらに、辺支持部６１を構成する突出片６２の第１底面フラップ１６，１７および第２底面フラップ１８，１９から支持端６２ａのまでの高さ寸法をＨ３と定義する。
【００４７】
この場合において、第１角支持部３１を構成する切起片３３の支持端３３ｂの高さ寸法Ｈ１と第２角支持部３６を構成する第１および第２切起片３７，３８の第１および第２支持端３７ｂ，３８ｂの高さ寸法Ｈ２と辺支持部６１を構成する突出片６２の支持端６２ａの高さ寸法Ｈ３は、同じ高さに設定される（Ｈ１＝Ｈ２＝Ｈ３）。これにより、各収納部２１に収納したパック１を箱本体１１の底面と平行な状態で支持することができる。
【００４８】
また、パック１の底面（接地面）からフランジ３までの高さ寸法をＨ４とする。この場合において、支持端３３ｂ、第１および第２支持端３７ｂ，３８ｂおよび支持端６２ａの高さ寸法Ｈ１，Ｈ２，Ｈ３は、フランジ３の高さ寸法Ｈ４より大きく設定する。これにより、各収納部２１においてパック１が支持されたときにおいて、パック１の底面は、第１底面フラップ１６，１７および第２底面フラップ１８，１９から離間し、パック１は宙吊りとなる。
【００４９】
以上のように構成さる包装箱１０は、次のように組み立てられる。先ず、第１外壁１２ａの継ぎ代２９と第２内壁１５ｂの内面または外面と接合される。このとき、継ぎ代２９を内面に接合したときには、外観上、継ぎ代２９を隠すことができる（図２参照）。この後、二重罫線２３を介して、第１内壁１２ｂ，１３ｂおよび第２内壁１４ｂ，１５ｂが第１外壁１２ａ，１３ａおよび第２外壁１４ａ，１５ａに対して内側に折り畳まれる。これにより、差込片２６は、差込孔２８と係合孔２７に差し込まれ、第１壁１２，１３および第２壁１４，１５は、二重壁構造となる。
【００５０】
次いで、切起片３３は、罫線３２に沿って切り起こされ、第１角支持部３１を構成する（図３（ａ）および（ｂ）参照）。また、押込片３９は、罫線２４と平行な罫線３９ａに沿って第１切起片３７と第２切起片３８の方向に切り起こされ、第１切起片３７と第２切起片３８を収納部２１の方向に押し込み、第２角支持部３６を構成する（図４参照）。
【００５１】
この後、第１底面フラップ１６，１７が罫線２４に沿って折り畳まれ、次いで、第２底面フラップ１８，１９が罫線２４に沿って折り畳まれると、係合片４２は、外側から内側に向かって切り込み４１に差し込まれる。これにより、箱本体１１の底面が構成される（図５および図６参照）。
なお、箱本体１１の底面を構成する第１底面フラップ１６，１７および第２底面フラップ１８，１９を組み立ててから箱本体１１の周壁を構成する第１壁１２，１３および第２壁１４，１５を組み立てるようにしてもよい。また、周壁や底面を組み立ててから第１角支持部３１や第２角支持部３６を組み立てるようにしてもよい。
【００５２】
一方、仕切部材５１は、一対の罫線５６に沿って連結部５４を内側に折り込むことによって、一対の仕切板５２，５３を離間され、突出片６２が上方に突出することによって辺支持部６１が構成される。そして、仕切部材５１は、取付片５８が取付孔５９に差し込まれる（図７参照）。
【００５３】
次に、以上のように構成された包装箱１０の作用について説明する。包装箱１０には、第１壁１２，１３に沿って２つの収納部２１が構成され、第２壁１４，１５に沿って２つの収納部２１が構成され、全体で４個の収納部２１が構成される。各収納部２１では、第１壁１２，１３と第２壁１４，１５とがなす角部に第１角支持部３１が構成される。また、各収納部２１には、第２壁１４，１５の中間位置に第１切起片３７および第２切起片３８の何れかの切起片によって第２角支持部３６が構成される。さらに、各収納部２１には、第１角支持部３１および第２角支持部３６との間の第２壁１４，１５と対向する仕切部材５１によって、辺支持部６１が構成される（図１参照）。４つの各収納部２１には、青果を収納したパック１が１個ずつ収納される。この際、フランジ３の凹部３ｂには、第１角支持部３１の支持端３３ｂ、第２角支持部３６の第１および第２支持端３７ｂ，３８ｂ、および、辺支持部６１の支持端６２ａが進入し、フランジ３を下側から支持し、パック１を宙吊りで収納する。
【００５４】
さらに、包装箱１０は、積み重ねることができ、この場合、係合片２５を上側に位置する包装箱１０の係合孔２７に係合させることで、安定した状態で積み上げることができる。
【００５５】
以上のような包装箱１０によれば以下に列挙する効果を得ることができる。
（１）箱本体１１は、基本構造に、ＪＩＳ-Ｚ１５０７、０２形（溝切り形）を採用している。したがって、箱本体１１は、展開された状態のシートがほぼ細長の矩形形状を有することになるので、段ボール原反を無駄なく裁断して生産性の向上を実現することができる。
【００５６】
（２）第１角支持部３１の支持端３３ｂ、第２角支持部３６の第１および第２支持端３７ｂ，３８ｂおよび辺支持部６１の支持端６２ａの高さ寸法Ｈ１，Ｈ２，Ｈ３は、フランジ３の高さ寸法Ｈ４より大きく設定する。これにより、各収納部２１においてパック１が支持されたときにおいて、パック１の底面は、第１底面フラップ１６，１７および第２底面フラップ１８，１９から離間し、宙吊りとなる。したがって、底面に加わる衝撃等によって、パックに収納されている青果が傷まないようにすることができる。
【００５７】
（３）第１底面フラップ１６，１７の罫線２４から先端までの寸法Ｗ１，Ｗ２の合計寸法は、箱本体１１の幅寸法Ｗより小さく設定されている（Ｗ＞Ｗ１＋Ｗ２）。また、第２底面フラップ１８，１９の罫線２４から先端までの寸法Ｌ１，Ｌ２の合計寸法は、箱本体１１の長さ寸法Ｌより小さく設定されている（Ｌ＞Ｌ１＋Ｌ２）。これにより、第１底面フラップ１６，１７と第２底面フラップ１８，１９の全体面積は、箱本体１１の底面の全体面積より小さくなる。これにより、第１底面フラップ１６，１７を先端部が突き合わされる突き合わせフラップとし、第２底面フラップ１８，１９を先端部が突き合わされる突き合わせフラップとしたときよりも、ワンピースの面積を一層小さくすることができる。
【００５８】
（４）第１角支持部３１の支持端３３ｂの高さ寸法Ｈ１と第２角支持部３６の第１および第２支持端３７ｂ，３８ｂの高さ寸法Ｈ２と辺支持部６１の支持端６２ａの高さ寸法Ｈ３は、同じ高さに設定される（Ｈ１＝Ｈ２＝Ｈ３）。これにより、各収納部２１に収納したパック１を箱本体１１の底面と平行な状態で安定して支持することができる。
（５）第１角支持部３１は、新たな部材を取り付けるまでもなく、切起片３３による簡素な構成とすることができる。
（６）第２角支持部３６は、新たな部材を取り付けるまでもなく、第１および第２切起片３７，３８による簡素な構成とすることができる。
【００５９】
なお、上記実施形態は以下のように適宜変更して実施することもできる。
・第２角支持部３６は、第１切起片３７と第２切起片３８とを両開きの構成とし、押込片３９で収納部２１の方向に押し込み保持する構成としたが、押込片３９は、割愛する構成としてもよい。また、パック１におけるフランジ３の凹部３ｂに第１および第２支持端３７ｂ，３８ｂが進入可能であれば、第１および第２面取り部３７ｃ，３８ｃを割愛してもよい。
【００６０】
・第１角支持部３１において、パック１におけるフランジ３の凹部３ｂに支持端３３ｂが進入可能であれば、面取り部３３ｃを割愛してもよい。また、切起片３３の先端部３３ａは、支持端３３ｂがフランジ３の凹部３ｂに進入可能であれば突き当てられていなくてもよい。また、フランジ３が平坦であるときには、面取り部３３ｃは割愛することができる。
【００６１】
・切起片３３や第１および第２切起片３７，３８は、接着剤、粘着テープ、ステープルなどによって固定するようにしてもよい。
【００６２】
・包装箱１０は、第２角支持部３６の第１および第２切起片３７，３８を切り起こさないことによって、収納部２１を一対の第１壁１２，１３に沿った２つの収納部２１が構成されるようにしてもよい。これにより、さらなる大きさのパック１を収納することができる。また、このような場合には、第２角支持部３６を割愛する構成としてもよい。
【００６３】
・仕切部材５１は、一対の第１壁１２，１３の間に架け渡すのではなく、一対の第２壁１４，１５の間に架け渡すようにしてもよい。この場合、第１壁１２，１３の中間位置に第２角支持部３６を構成することになる。この場合にも、４つの収納部２１を構成することができる。そして、第２角支持部３６を割愛したときには、一対の第２壁１４，１５に沿って２つの収納部２１を構成することができる。この場合、細長い形状を有するパック１を収納することができる。
【００６４】
第１角支持部３１の支持端３３ｂの高さ寸法Ｈ１と第２角支持部３６の第１および第２支持端３７ｂ，３８ｂの高さ寸法Ｈ２と辺支持部６１の支持端６２ａの高さ寸法Ｈ３は、異なる高さに設定してもよい。例えば、各収納部２１に収納したパック１が同一方向に傾くように、Ｈ１，Ｈ２，Ｈ３を設定する。一例として、図１において、各収納部２１の第２壁１５側を低側とし第２壁１４側を高側とする場合、第２壁１５に沿う２つの収納部２１における第１および第２角支持部３１，３６の高さ寸法Ｈ１，Ｈ２を低側とし、辺支持部６１の高さ寸法Ｈ３を高側とする。また、第２壁１４に沿う２つの収納部２１における第１および第２角支持部３１，３６の高さ寸法Ｈ１，Ｈ２を高側とし、辺支持部６１の高さ寸法Ｈ３を低側とする。これにより、４つの収納部に収納されたパック１は、第２壁１５側に傾いた傾斜状態で収納される。これにより、商品棚に包装箱１０を陳列したときに、開口部２０から臨むパック１に収納された青果を買い物客などの看者から見やすくすることができる。
・パック１に収納する収納物は、青果に限定されるものではない。
・包装箱の材料は、段ポールに限定されるものではなく、例えば厚紙であってもよい。
【符号の説明】
【００６５】
１…パック、２…上面開口部、３…フランジ、３ａ…先端部、３ｂ…凹部、１０…包装箱、１１…箱本体、１２…第１壁、１２ａ…第１外壁、１２ｂ…第１内壁、１３…第１壁、１３ａ…第１外壁、１３ｂ…第１内壁、１４…第２壁、１４ａ…第２外壁、１４ｂ…第２内壁、１５…第２壁、１５ａ…第２外壁、１５ｂ…第２内壁、１６…第１底面フラップ、１７…第１底面フラップ、１８…第２底面フラップ、１９…第２底面フラップ、２０…開口部、２１…収納部、２２…罫線、２３…二重罫線、２４…罫線、２５…係合片、２６…差込片、２７…係合孔、２８…差込孔、２９…継ぎ代、３１…第１角支持部、３２…罫線、３３…切起片、３３ａ…先端部、３３ｂ…支持端、３３ｃ…面取り部、３４…切欠部、３６…第２角支持部、３７…第１切起片、３７ａ…第１罫線、３７ｂ…支持端、３７ｃ…第１面取り部、３８…第２切起片、３８ａ…第２罫線、３８ｂ…第２支持端、３８ｃ…第２面取り部、３９…押込片、３９ａ…罫線、３９ｂ…押圧部、３９ｃ…係合溝、４１…切り込み、４２…係合片、４３…切欠凹部、５１…仕切部材、５２…仕切板、５３…仕切板、５４…連結部、５５…第１切込み溝、５６…罫線、５７…第２切込み溝、５８…取付片、５９…取付孔、６１…辺支持部、６２…突出片、６２ａ…支持端。
【図１】
0006686711.tif 000002
【図２】
0006686711.tif 000003
【図３】
0006686711.tif 000004
【図４】
0006686711.tif 000005
【図５】
0006686711.tif 000006
【図６】
0006686711.tif 000007
【図７】
0006686711.tif 000008
【図８】
0006686711.tif 000009